(57)【要約】【課題】パネルのメンテナンスが容易であると共に、パネルが脱落することがない建物の外壁とする。【解決手段】建物躯体側に、複数のパネルユニット２を上下方向に順次取付けると共に、その各パネルユニット２は複数のパネル５を上下方向に順次配設したものとし、その各パネル５を上部ファスナー２０と下部ファスナー３０で建物躯体側に取付ける。前記上部ファスナー２０は取付用ボルト２３を有し、最上方のパネル５の取付用ボルト２３は弛めることで抜き出し可能で最上方のパネル５は取り外しできるが、他のパネル５の取付用ボルト２３は弛めても抜き出し不可能でパネル５は取り外しできないようにし、最上方のパネル５を取り外しすることで、他のパネル５を順次取り外しできることによって、パネルのメンテナンスを容易にできると共に、取付用ボルト２３が弛んでもパネル５が脱落しないようにした建物の外壁。【選択図】図５
2008248580.tif 000002
【特許請求の範囲】
【請求項１】
建物躯体に、複数のパネルユニットを上下方向に順次取付け、その各パネルユニットは上下方向に順次配設した複数のパネルを有するものとし、
前記各パネルは、上部ファスナーと下部ファスナーで建物躯体側に取付けられ、
前記上部ファスナーは、建物躯体側に設けた上部受け部とパネルに設けた上部取付部を取付用ボルトで連結してパネル上部を建物躯体に取付け、
前記下部ファスナーは、建物躯体側に設けた下部受け部とパネルに設けた下部取付部を室内外側方向に動かないように係合してパネル下部を建物躯体に取付け、
前記パネルユニットの最上方のパネルを取付ける上部ファスナーの取付用ボルトは、当該最上方のパネルの上に位置する他のパネルユニットの最下方のパネルと干渉せずに抜き出し可能で、
前記最上方のパネル以外のパネルを取付ける上部ファスナーの取付用ボルトは、当該パネルの上に位置するパネルと干渉して抜き出し不可能とし、
前記最上方のパネルに支持具を取付け、前記建物躯体側に受け具を取付け、この受け具と支持具が係合することで最上方のパネルの下方への移動を規制して支持する脱落防止具としたことを特徴とする建物の外壁。
【請求項２】
上下に隣接した２つのパネルユニットの最上方のパネルと最下方のパネルとの間の最上部の目地部に、室外側から工具を挿入して取付用ボルトを弛め操作できるようにした請求項１記載の建物の外壁。
【請求項３】
上部ファスナーの上部取付部が上部受け部の上面に接し、その上部取付部の透孔から取付用ボルトを上部受け部のねじ孔に螺合して連結するものとし、
下部ファスナーの下部取付部は凹部を有し、この凹部が下部受け部に隙間なく嵌合して室内外側方向に動かないように連結するものとした請求項１又は２記載の建物の外壁。
【請求項４】
複数のパネルが取付枠体に、上部ファスナーと下部ファスナーで上下方向に順次取付けられ、
前記上部ファスナーは、取付枠体に設けた上部受け部とパネルに設けた上部取付部を取付用ボルトで連結してパネル上部を取付枠体に取付け、
前記下部ファスナーは、取付枠体に設けた下部受け部とパネルに設けた下部取付部を室内外側方向に動かないように係合してパネル下部を取付枠体に取付け、
前記複数のパネルにおける最上方のパネル以外のパネルを取付ける上部ファスナーの取付用ボルトは、当該パネルの上に位置するパネルと干渉して抜き出し不可能とし、
前記最上方のパネルに支持具を取付け、前記取付枠体に受け具を取付け、この受け具と支持具が係合することで最上方のパネルの下方への移動を規制して支持する脱落防止具としたことを特徴とする外壁ユニット。
【発明の詳細な説明】
【技術分野】
【０００１】
本発明は、建物躯体に複数のパネルを取付けたパネルタイプの建物の外壁及び、その建物の外壁に用いる外壁ユニットに関する。
【背景技術】
【０００２】
従来から建物の外壁としては、建物躯体に複数のパネルを上下方向に順次取付けたパネルタイプの建物の外壁が種々提案されている。
例えば、特許文献１に開示された建物外壁が提案されている。
この建物の外壁は、建物躯体に方立を取付け、この方立間に複数の横材を横架し、パネルの上縁、下縁を横材の下向凹部、上向凹部に挿入して取付け、そのパネルの縦縁を方立に接着シール材で接着して取付けてある。
【特許文献１】特公平４−２３９３５号公報
【発明の開示】
【発明が解決しようとする課題】
【０００３】
前述した建物の外壁であると、パネルを取り外しするのが大変困難で、パネルが損傷等した時に、そのパネルを交換することが面倒で、メンテナンスがやりにくい。
このことを解消するには、パネルを方立、横材にボルト止めして取付け、そのボルトを弛めることでパネルを取り外しできるようにすることが考えられるが、そのようにすると、パネルを取付け、取り外しするのに複数のボルトを締め付け、弛め操作しなければならず、パネルの取付け、取り外しが面倒であるから、メンテナンスも面倒である。
しかも、振動などでボルトが弛んで抜け落ちることで、パネルが脱落する恐れがある。
【０００４】
本発明の目的は、パネルの取付け、取り外しが簡単で、パネルのメンテナンスが容易であると共に、パネルが脱落することがない建物の外壁及び、その外壁ユニットとすることである。
【課題を解決するための手段】
【０００５】
本発明の建物の外壁は、建物躯体に、複数のパネルユニットを上下方向に順次取付け、その各パネルユニットは上下方向に順次配設した複数のパネルを有するものとし、
前記各パネルは、上部ファスナーと下部ファスナーで建物躯体側に取付けられ、
前記上部ファスナーは、建物躯体側に設けた上部受け部とパネルに設けた上部取付部を取付用ボルトで連結してパネル上部を建物躯体に取付け、
前記下部ファスナーは、建物躯体側に設けた下部受け部とパネルに設けた下部取付部を室内外側方向に動かないように係合してパネル下部を建物躯体に取付け、
前記パネルユニットの最上方のパネルを取付ける上部ファスナーの取付用ボルトは、当該最上方のパネルの上に位置する他のパネルユニットの最下方のパネルと干渉せずに抜き出し可能で、
前記最上方のパネル以外のパネルを取付ける上部ファスナーの取付用ボルトは、当該パネルの上に位置するパネルと干渉して抜き出し不可能とし、
前記最上方のパネルに支持具を取付け、前記建物躯体側に受け具を取付け、この受け具と支持具が係合することで最上方のパネルの下方への移動を規制して支持する脱落防止具としたことを特徴とする建物の外壁である。
【０００６】
本発明においては、上下に隣接した２つのパネルユニットの最上方のパネルと最下方のパネルとの間の最上部の目地部に、室外側から工具を挿入して取付用ボルトを弛め操作できるように構成できる。
このようにすれば、最上部の目地部から工具を挿入して取付用ボルトを弛めて抜き出しできるので、室外側からパネルを取り外したり、取付けしたりしてメンテナンスできる。
【０００７】
本発明においては、上部ファスナーの上部取付部が上部受け部の上面に接し、その上部取付部の透孔から取付用ボルトを上部受け部のねじ孔に螺合して連結するものとし、
下部ファスナーの下部取付部は凹部を有し、この凹部が下部受け部に隙間なく嵌合して室内外側方向に動かないように連結することができる。
このようにすれば、パネルを支持しながら下部取付部の凹部を下部受け部に嵌合すると共に、上部取付部を上部受け部の上面に接して仮取付けし、その状態で取付用ねじを透孔からねじ孔に螺合してパネルを取付けできるから、そのパネルの取付けが簡単である。
【０００８】
本発明の外壁ユニットは、複数のパネルが取付枠体に、上部ファスナーと下部ファスナーで上下方向に順次取付けられ、
前記上部ファスナーは、取付枠体に設けた上部受け部とパネルに設けた上部取付部を取付用ボルトで連結してパネル上部を取付枠体に取付け、
前記下部ファスナーは、取付枠体に設けた下部受け部とパネルに設けた下部取付部を室内外側方向に動かないように係合してパネル下部を取付枠体に取付け、
前記複数のパネルにおける最上方のパネル以外のパネルを取付ける上部ファスナーの取付用ボルトは、当該パネルの上に位置するパネルと干渉して抜き出し不可能とし、
前記最上方のパネルに支持具を取付け、前記取付枠体に受け具を取付け、この受け具と支持具が係合することで最上方のパネルの下方への移動を規制して支持する脱落防止具としたことを特徴とする外壁ユニットである。
【発明の効果】
【０００９】
本発明の建物の外壁によれば、下部ファスナーの下部受け部と下部取付部は係合しているだけであるから、上部ファスナーの上部受け部と上部取付部を取付用ねじで締め付け、弛めて連結、分離することでパネルを取付け、取り外しできる。
また、最上部の上部ファスナーの取付用ボルトを弛めて抜き出すことで最上部のパネルを取り外しすれば、以後順次パネルを取り外しできる。
したがって、パネルの取付け、取り外しが簡単で、パネルのメンテナンスが容易である。
【００１０】
また、パネルユニットの最上部のパネルは脱落防止具で建物躯体側に支持され、その取付用ボルトが弛んで抜け出してもパネルの上部が脱落防止具で支持されて脱落しない。
前記パネルユニットの最上部以外のパネルを取付ける上部ファスナーの取付用ボルトは弛んでも抜け出すことがないので、そのパネルが脱落することがない。
したがって、パネルが脱落することがない。
しかも、脱落防止具は最上部のパネルにのみ設けられ、それ以外のパネルには設けていないので、脱落防止具の数が少なく、コスト安にできる。
【００１１】
本発明の外壁ユニットであれば、その取付枠体を建物躯体に、上下方向に順次取付けると共に、外壁ユニットの最上方のパネルを取付ける上部ファスナーの取付用ボルトは、当該外壁ユニットの上に位置する他の外壁ユニットの最下方のパネルと干渉せずに抜き出し可能とすることで、パネルの取付け、取り外しが簡単で、パネルのメンテナンスが容易であると共に、パネルが脱落することがない建物の外壁とすることができる。
【発明を実施するための最良の形態】
【００１２】
図１と図２に示すように、建物躯体１に複数のパネルユニット２を上下方向に順次取付けてパネルタイプの建物の外壁としてある。
この実施の形態では、複数のパネルユニット２を上下方向に順次取付けたパネルユニット群が左右に間隔を置いて取付けてあり、その左右に隣接したパネルユニット２間においてステンレスパネル３が建物躯体１に取付けてあり、そのステンレスパネル３の開口部３ａにガラス４が装着してある。これによって、前述の複数のパネルユニット２と、ガラス４を装着したステンレスパネル３が左右方向に交互に配設された建物の外壁としてある。
本発明の建物の外壁は、前述のものに限ることはなく、複数のパネルユニット２を上下方向に順次取付けたもの、そのパネルユニット群を左右に順次取付けたもの等であっても良い。
【００１３】
前記パネルユニット２は複数のパネル５、例えば第１〜第５のパネル５ａ〜５ｅを上下方向に順次配設したものである。
前記パネルユニット２は、建物の床スラブ６，６間に亘って取付けてある。
例えば、建物躯体１にファスナー７で取付枠体１０を取付け、その取付枠体１０に第１〜第５のパネル５ａ〜５ｅを上下方向に順次取付け、第１のパネル５ａが最も上方で、第５のパネル５ｅが最も下方である。
図２において、床スラブ６の上に床８が取付けられ、床スラブ６の下に天井９が取付けてある。
前記第１のパネル５ａが床パネル６と天井９との間（スパンドレル部）と対向している。
【００１４】
前記各パネル５は、図３〜図５に示すように上部ファスナー２０と下部ファスナー３０で取付枠体１０にそれぞれ取付けてあり、第１のパネル５ａと取付枠体１０に亘って脱落防止具４０が取付けてある。これによって、外壁ユニットとしてある。
図３に示すように、前記上部ファスナー２０、下部ファスナー３０、脱落防止具４０は左右に間隔を置いて一対設けてある。
これに限ることはなく、３つ以上でも良いし、１つでも良い。
前記パネルユニット２のパネル間の隙間（例えば、第１のパネル２の下面と第２のパネル２の上面の隙間）、つまり中間の目地部２ａの幅は小さく、上下のパネルユニット２のパネル間の隙間（上のパネルユニット２の第５のパネル５ｅの下面と下のパネルユニット２の第１のパネル５ａの上面との隙間）、つまり最上部の目地部２ｂの幅は大きい。
【００１５】
前記取付枠体１０は、図４に示すように左右の縦枠材１１の上下を上横材１２と下横材１３で連結した長方形状である。前記取付枠体１０内には閉塞パネル１４が図５に示すように取付けてある。
前記上部ファスナー２０は、縦枠材１１に設けた上部受け部２１と、パネル５（５ａ〜５ｅ）の上部に設けた上部取付部２２と、この上部取付部２２を上部受け部２１に固着する取付用ボルト２３を備え、その上部取付部２２を上部受け部２１の上面に接し、取付用ボルト２３を上部取付部２２の透孔２２ａから上部受け部２１のねじ孔２１ａに上下方向に螺合して上部取付部２２を上部受け部２１に固着している。
【００１６】
前記下部ファスナー３０は、取付枠体１０の縦枠材１１に設けた下部受け部３１と、各パネル５（５ａ〜５ｅ）の下部に設けた下部取付部３２を備え、その下部取付部３２が下部受け部３１に係合して下部取付部３２が下部受け部３１に対して室内外側方向に動くことがないと共に、下方に外れることがないようにしてある。
【００１７】
前記脱落防止具４０は、取付枠体１０の縦枠材１１に設けた受け具４１と、最上方のパネル５ａ（第１のパネル５ａ）に設けた支持具４２を備え、その支持具４２が受け具４１に係合し、パネル５の上部寄りが取付枠体１０に対して下方へ移動することを規制し、若干だけ下方に移動すると落下しないように支持する。
【００１８】
前記最上方のパネル５ａ（第１のパネル５ａ）を取付ける最上方の上部ファスナー２０の取付用ボルト２３は、振動などで弛んで上部取付部２３から抜け落ちることがあるが、その場合には最上方のパネル５ａの下方への移動を脱落防止具４０の支持具４２と受け具４１で規制して支持するので、その脱落防止具４０と下部ファスナー３０とによって最上方のパネル５ａ（第１のパネル５ａ）が取付枠体１０から脱落することを防止できる。
【００１９】
前記２番目以降のパネル５（５ｂ〜５ｄ）を取付ける２番目以降の上部ファスナー２０（つまり、前記最上方の上部ファスナー２０以外の上部ファスナー２０）の取付用ボルト２３は、振動などで弛むことがあるが、その取付用ボルト２３が下部取付部２２より抜け出す前に、上方のパネル５の下部と干渉して上方への移動が制限されて上部取付部２２より抜け出すことがない。
したがって、２番目以降のパネル５は取付用ボルト２３が弛んで取付枠体１０から脱落することがない。
【００２０】
このようであるから、各パネル５（５ａ〜５ｅ）が取付用ボルト２３が弛むことによって取付枠体１０から脱落することを防止できる。
【００２１】
また、各パネル５を取付ける場合には、最下方のパネル５ｅ（第５のパネル５ｅ）の下部取付部３２を下部受け部３１に係合すると共に、取付用ボルト２３を上部取付部２２から上部受け部２１に螺合することで取付枠体１０に取付ける。
以後順次第４・第３・第２・第１のパネル５を前述のようにして取付ける。
したがって、各パネル５を取付枠体１０に簡単に取付けできる。
【００２２】
前記最上方のパネル５ａを取付ける最上方の上部ファスナー２０の取付用ボルト２３は、最上部の目地部２ｂを通して工具を室外側から挿入することで弛め操作できると共に、上部取付部２３より抜き出しできる。
したがって、最上方のパネル５ａを取り外し、取付けできる。
【００２３】
また、前述のようにして最上方のパネル５ａを取り外しすれば、２番目、３番目、４番目、５番目（最下方）のパネル５ｂ〜５ｅを取付用ボルト２３を弛めることで取り外しできる。
【００２４】
このようであるから、１つのパネルユニット２のいずれかのパネルが損傷等した場合には、そのパネルを簡単に交換等することができるので、パネルのメンテナンスが容易である。
【００２５】
また、前記中間の目地部２ａの幅は最上部の目地部２ｂの幅よりも小さいので、前述のようにパネルをメンテナンスする際に、工具を挿入して取付用ボルト２３を弛める目地部を目視で判断でき、その取付用ボルト２３を弛める操作を容易に行うことができる。
【００２６】
次に、各部の具体形状を説明する。
前記パネル５は図６に示すように、正面板５０の裏面（室内側に向かう面）５０ａに上横片５１と下横片５２と左右の縦片５３と中間補強リブ５４が一体的に設けてある。例えば、アルミを素材とした鋳造品である。
前記上横片５１の左右両側寄り部５１ａが前記上部取付部２２で、透孔２２ａが形成してある。
前記下横片５２の左右両側寄り部５２ａが前記取付用ボルト２３と対向する部分である。
【００２７】
前記上部受け部２１は、縦片２１ｂと横片２１ｃでＬ字形状で、その縦片２１ｂに左右方向の長孔２１ｄが形成され、横片２１ｃに前記ねじ孔２１ａが形成してある。
そして、前記縦片２１ｂが図７、図８に示すように縦枠材１１の室外側面１１ａに固着具、例えば長孔２１ｄを挿通したボルトナット２４で固着され、その横片２１ｃが室外側面１１ａよりも室外側に突出して取付けてある。
【００２８】
前記上横片５１の左右両端寄り部５１ａが上部受け部２１の横片２１ｃ上面に接し、取付用ボルト２３を透孔２２ａからねじ孔２１ａに螺合して固着している。
前記取付用ボルト２３（頭部）が図７、図９に示すように上のパネル５の下横片５２の左右両端寄り部５２ａと対向し、図７に示すように、最上方の上部ファスナー２０の取付用ボルト２３と左右両端寄り部５２ａとの間の上下寸法よりも取付用ボルト２３の螺子部の長さが短く、その取付用ボルト２３は弛めることで抜き出しできるが、図９に示すように２番目以降の上部ファスナー２０の取付用ボルト２３の螺子部の長さが前述の上下寸法よりも長く、その取付用ボルト２３を弛めると前述の上下寸法よりも長く、その取付用ボルト２３を弛めると前述の左右両端寄り部５２ａと干渉し、抜き出しできない。
【００２９】
前記下部ファスナー３０の下部受け部３１は取付片３１ａと受け片３１ｂを有し、その取付片３１ａが縦枠材１１の内側面１１ｂに固着具、例えばボルト３３で固着され、その受け片３１ｂが縦枠材１１の内方に突出している。好ましくは、受け片３１ｂが縦枠材１１の室外側面１１ａと面一となっている。
前記下部取付部３２は縦片５３に固着具、例えばボルト・ナット３４で固着され、この下部取付部３２は、下面に開口した凹部３２ａを有している。
前記下部取付部３２の凹部３２ａが下部受け部３１の受け片３１ｂに隙間なく嵌まり合って係合し、下部取付部３２が下部受け部３１に室内外側方向に動かないように取付けられる。
要するに、下部取付部３２は下部受け部３１に引っ掛けるようにして係合することで、室内外側方向に動かないように取付けられる。
【００３０】
前記下部受け部３１の受け片３１ｂの上面に下部取付部３２の凹部３２ａの底部を接して下部取付部３２が下に動かないようにしても良いが、そのようにすると前記各部材の取付位置の誤差等によって上部ファスナー２０の上部取付部２２が上部受け部２１の受け片２１ｃに接しないことがあるので、受け片３１ｂの上面と凹部３２ａの底部と離れている。
【００３１】
前記パネル５はアルミ鋳造品であるから、その縦片５３は抜き勾配を有し、その縦片５３の下部取付部３２を取付ける面５３ａは正面板５０と直角に対して斜めで、下部取付部３２を正面板５０と直角に取付けできない。
このために、下部取付部３２を取付ける部分５３ｂのみを厚肉として正面板５０と直角とし、下部取付部３２を正面板５０と直角に取付けできるようにしてある。
したがって、左右の下部取付部３２の凹部３２ａを左右の下部受け部３１（受け片３１ｂ）に嵌め込んで連結することで、取付枠体１０にパネル５を平行に取付けできる。
【００３２】
前記脱落防止具４０の受け具４１は図７、図８に示すように取付片４１ａと受け片４１ｂを有し、その取付片４１ａを縦枠材１１の内側面１１ｂに固着具、例えばボルト４３で固着され、その受け片４１ｂが内方に向けて突出する。
前記支持具４２はパネル５の縦片５３に固着具、例えばボルト・ナット４４で固着して取付けてある。
この支持具４２は、その下面に開口した凹部４２ａを有し、この凹部４２ａ内に受け具４１（受け片４１ｂ）が入り込み、パネル５が下方に動くと凹部４２ａと受け部４１が係合し、それ以上パネル５が下方に動かないように支持する。
【００３３】
この凹部４２ａと受け具４１（受け片４１ｂ）は、取付用ボルト２３が抜け出してパネル５が落下しようとした時に係合することで落下しないように支持するものであるから、通常時には凹部４２ａと受け具４１との間に隙間が有り、パネル５を取付け易いようにしてある。
【００３４】
前述のように、取付枠体１０に複数のパネル５（パネルユニット２）を取付けて外壁ユニットとしてあるので、その取付枠体１０を建物躯体１に上下方向に順次取付けることで建物の外壁（つまり、ユニットカーテンウォール）とすることができる。
【００３５】
前述の説明では、上部ファスナー２０の上部取付部２２をパネル５と一体的に設けたが、パネル５と別体として固着具で固着して取付けるようにしても良い。
また、上部ファスナー２０の下部受け部２１、下部ファスナー３０の下部受け部３１、下部取付部３２をパネル５と一体的に設けても良い。
また、パネルユニット２のパネル５の数は５つに限ることはなく任意の数とすることができるし、複数のパネルユニット２のパネル５の数を異ならせることもできる。
また、上部ファスナー２０の上部受け部２１、下部ファスナー３０の下部受け部３１、脱落防止具４０の受け具４１は取付枠体１０を用いずに建物躯体１に直接的に固着して取付けるようにしても良い。すなわち、建物躯体側に取付けすれば良い。
【００３６】
なお、上部ファスナー２０の上部受け部２１、上部取付部２２、下部ファスナー３０の下部受け部３１、下部取付部３２、脱落防止具４０の受け具４１、支持具４２は、１度取付けすればパネルのメンテナンス等のために取り外しすることがないので、固着具でしっかりと固着して振動等で外れることがないようにできるが、取付用ボルト２３はパネルのメンテナンス等のために弛めることがあるので、振動等で弛むことがある。
【図面の簡単な説明】
【００３７】
【図１】本発明の実施の形態を示す建物の外壁の一部外観図である。
【図２】図１のＡ−Ａ断面図である。
【図３】パネルユニットの取付けを説明する外観図である。
【図４】パネルユニットと取付枠体の分解斜視図である。
【図５】図３のＢ−Ｂ断面図である。
【図６】パネルの詳細拡大斜視図である。
【図７】図５のＣ部拡大詳細断面図である。
【図８】図７のＤ−Ｄ線に沿った平面図である。
【図９】図５のＥ部拡大詳細断面図である。
【図１０】図９のＦ−Ｆ断面図である。
【符号の説明】
【００３８】
１…建物躯体、２…パネルユニット、２ａ…中間の目地部、２ｂ…最上部の目地部、５…パネル、１０…取付枠体、１１…縦枠材、１１ａ…室外側面、１１ｂ…内側面、２０…上部ファスナー、２１…上部受け部、２１ａ…ねじ孔、２２…上部取付部、２２ａ…透孔、２３…取付用ボルト、３０…下部ファスナー、３１…下部受け部、３２…下部取付部、３２ａ…凹部、４０…脱落防止具、４１…受け具、４２…支持具。
【図１】
2008248580.tif 000003
【図２】
2008248580.tif 000004
【図３】
2008248580.tif 000005
【図４】
2008248580.tif 000006
【図５】
2008248580.tif 000007
【図６】
2008248580.tif 000008
【図７】
2008248580.tif 000009
【図８】
2008248580.tif 000010
【図９】
2008248580.tif 000011
【図１０】
2008248580.tif 000012